(57)【要約】【課題】  充電コネクタを係止したままでの保持が容易で、あるいは充電中の落下の虞れがない、携帯機器ホルダおよび該携帯機器ホルダの装着が可能な改良された充電器を提供することを目的とする。【解決手段】  充電器装着部と機器保持部２、３とを備えた弾性体からなる自転車用充電器付携帯機器ホルダ１において、前記機器保持部２、３に縦スリット部４、５を設けたことを特徴とするもので、携帯機器に充電コネクタ１１を係止しての充電中にも縦スリット４、５を通じて容易に携帯機器を機器保持部２、３に保持させたり、取り外すことができて、取扱いが簡便となる。しかも、機器保持部２、３が比較的軟質の弾性体から構成されているため、縦スリット部４、５から指を差し入れて機器保持部２、３を変形させて携帯機器を挿入することができる。【選択図】  図１
2005035438.tif 000002
【特許請求の範囲】
【請求項１】
充電器装着部と機器保持部とを備えた弾性体からなる自転車用充電器付携帯機器ホルダにおいて、前記機器保持部に縦スリット部を設けたことを特徴とする自転車用充電器付携帯機器ホルダ。
【請求項２】
前記縦スリット部の下端部に、充電コネクタ挿通孔を設けたことを特徴とする請求項１に記載の自転車用充電器付携帯機器ホルダ。
【請求項３】
充電器装着部と機器保持部とを備えた自転車用充電器付携帯機器ホルダにおいて、前記機器保持部の下端部に充電コネクタ挿通孔を設けたことを特徴とする自転車用充電器付携帯機器ホルダ。
【請求項４】
前記充電コネクタ挿通孔の寸法が、充電コネクタの係脱ボタンにより抜止めされるものに構成されたことを特徴とする請求項２または３に記載の自転車用充電器付携帯機器ホルダ。
【請求項５】
前記請求項１から４のいずれかに記載の携帯機器ホルダを装着可能な携帯機器充電器において、前記充電器の適宜部位に携帯機器への充電コネクタの収容部を設けたことを特徴とする携帯機器充電器。
【請求項６】
前記充電コネクタの収容部が下向きに形成されて雨除け機能を有することを特徴とする請求項５に記載の携帯機器充電器。
【請求項７】
前記充電コネクタの収容部にダミー係止部を設けたことを特徴とする請求項５または６に記載の携帯機器充電器。
【発明の詳細な説明】
【技術分野】
【０００１】
本発明は、充電器装着部と機器保持部とを備えた弾性体からなる自転車用充電器付携帯機器ホルダに関する。
【背景技術】
【０００２】
近年のように携帯電話が普及してくると、自転車での走行中にも携帯電話を載置する場所が必要となるし、また走行中に電池切れの事態も発生する。このような中で、自転車において、携帯電話等の携帯機器のための充電装置が提案された。（例えば下記特許文献１および特許文献２参照）。
【特許文献１】特開平９−５８５４６号公報（請求項４参照）
【特許文献２】実用新案登録第３０９４１９７号公報（段落０００４および図３参照）
【発明の開示】
【発明が解決しようとする課題】
【０００３】
前記特許文献の中、特許文献１に記載されたものは、自転車の発電機を使用した充電装置であり、その充電器は、自転車用照明装置における二次電池の充電を行う充電回路とは独立させ、携帯機器の電源として使用される二次電池の充電を行うものである。本提案のものは携帯機器のための充電を行うもので、携帯機器の保持についての明確な記載はない。また、特許文献２に記載されたものは、同様に自転車の発電機を使用して各種の携帯機器、特に携帯電話等の携帯機器を充電することが記載されている。
【０００４】
しかしながら、前記特許文献２に記載されたものでは、発電機にて発生させた電力を整流変圧器およびプラグ端子を介して携帯電話等の各種携帯機器を充電する技術が開示されているものの、充電中の各種携帯機器の搭載部位については、単にホルダを使用するとのみ記載されているだけで、ホルダの具体的な構成は不明であった。したがって、特に、充電コネクタを係止して充電する際の携帯電話の取扱いには苦労するところとなっている。  
【０００５】
そこで本発明は、前記従来の携帯機器ホルダおよび充電器の課題を解決して、充電コネクタを係止したままでの保持が容易で、あるいは充電中の落下の虞れがない、携帯機器ホルダおよび該携帯機器ホルダの装着が可能な改良された充電器を提供することを目的とする。
【課題を解決するための手段】
【０００６】
このため本発明は、充電器装着部と機器保持部とを備えた弾性体からなる自転車用充電器付携帯機器ホルダにおいて、前記機器保持部に縦スリット部を設けたことを特徴とする。また本発明は、前記縦スリット部の下端部に、充電コネクタ挿通孔を設けたことを特徴とする。また本発明は、充電器装着部と機器保持部とを備えた自転車用充電器付携帯機器ホルダにおいて、前記機器保持部の下端部に充電コネクタ挿通孔を設けたことを特徴とする。また本発明は、前記充電コネクタ挿通孔の寸法が、充電コネクタの係脱ボタンにより抜止めされるものに構成されたことを特徴とする。また本発明は、前記携帯機器ホルダを装着可能な携帯機器充電器において、前記充電器の適宜部位に携帯機器への充電コネクタの収容部を設けたことを特徴とする。また本発明は、前記充電コネクタの収容部が下向きに形成されて雨除け機能を有することを特徴とする。また本発明は、前記充電コネクタの収容部にダミー係止部を設けたことを特徴とするもので、これらを課題解決のための手段とするものである。
【発明の効果】
【０００７】
本発明によれば、充電器装着部と機器保持部とを備えた弾性体からなる自転車用充電器付携帯機器ホルダにおいて、前記機器保持部に縦スリット部を設けたことにより、携帯機器に充電コネクタを係止しての充電中にも縦スリットを通じて容易に携帯機器を機器保持部に保持させたり、取り外すことができて、取扱いが簡便となる。しかも、機器保持部が比較的軟質の弾性体から構成されているため、縦スリット部から指を差し入れて機器保持部を変形させて携帯機器を挿入することができる。
【０００８】
また、前記縦スリット部の下端部に、充電コネクタ挿通孔を設けた場合は、該挿通孔が縦スリット部の応力分散孔を兼用してスリット端部の亀裂防止効果を奏する上、携帯機器ホルダに保持された携帯機器に、充電コネクタを下方から携帯機器に接続・係止できる。さらに、充電器装着部と機器保持部とを備えた自転車用充電器付携帯機器ホルダにおいて、前記機器保持部の下端部に充電コネクタ挿通孔を設けたことにより、縦スリットのないタイプの携帯機器ホルダに保持された携帯機器に、充電コネクタを下方から携帯機器に接続・係止できる。
【０００９】
さらにまた、前記充電コネクタ挿通孔の寸法が、充電コネクタの係脱ボタンにより抜止めされるものに構成された場合は、携帯機器ホルダの底面が、携帯機器の底面と充電コネクタの係脱ボタンにより挟持されて抜け止めされ、走行時の充電中に妄りに携帯機器が落下することが防止される。また、前記携帯機器ホルダを装着可能な携帯機器充電器において、前記充電器の適宜部位に携帯機器への充電コネクタの収容部を設けたことにより、充電時以外には充電コネクタを充電器の収容部に収容して、充電コネクタおよびコードを整然と取りまとめておくことができる。
【００１０】
さらに、前記充電コネクタの収容部が下向きに形成されて雨除け機能を有する場合は、充電コネクタを下向きに形成された収容部に係止して、雨天時にも雨滴等がコネクタ部分に侵入することがなく、充電の際に各端子が短絡する等の不都合が防止される。さらにまた、前記充電コネクタの収容部にダミー係止部を設けた場合は、充電コネクタの係脱ボタンを押動して係止爪により確実にダミー係止部に充電コネクタを係止しておくことが可能となり、充電コネクタが収容部から妄りに落下することが防止される。
【発明を実施するための最良の形態】
【００１１】
以下本発明の実施例を図面に基づいて説明する。図１〜図７は本発明の自転車用充電器付携帯機器ホルダの第１実施例を示すもので、図１はハンドルポストに取り付けられた充電器付携帯機器ホルダの全体斜視図、図２は発電機であるハブダイナモから電力を得ている状態を示した充電器付携帯機器ホルダが取り付けられた自転車前部の全体側面図、図３は充電器付携帯機器ホルダの取付状態が明瞭に示された充電器付携帯機器ホルダの裏面から見た全体斜視図、図４はホルダに携帯機器が保持された状態を示す全体斜視図、図５は携帯機器に充電コネクタが接続・係止された状態を示す全体斜視図、図６はホルダに携帯機器および充電コネクタが保持された状態の全体断面図、図７はホルダに折畳み式の携帯機器および充電コネクタが接続・係止された状態を示す全体斜視図である。本発明の自転車用充電器付携帯機器ホルダの第１実施例の基本的な構成は、図１に示すように、充電器装着部（１６、１７）と機器保持部２、３とを備えた弾性体からなる自転車用充電器付携帯機器ホルダ１において、前記機器保持部２、３に縦スリット部４、５を設けたことを特徴とする。
【実施例１】
【００１２】
以下に詳述する。図１に示すように、本実施例のものの携帯機器ホルダ１には、携帯機器である携帯電話を過不足なく取り囲んで保持する適度の大きさの上下の機器保持部２、３が形成される。上下部機器保持部２、３は軟質の弾性体から構成され、それぞれ縦スリット部４、５が形成される。したがって、縦スリット部から指を差し入れて上下部機器保持部２、３を変形させて携帯電話を無理矢理に容易に挿入することができる。なお、上下部機器保持部２、３は携帯電話の下半分を保持できる１つの保持部のみから構成されてもよい。一方、携帯機器ホルダ１の裏面には、図３にて明瞭なように、充電器装着部を構成する装着帯１６、１７が形成され、これらの装着帯１６、１７に、充電器７の本体部（整流器等の充電器の充電回路が収容）８の裏面に固定された装着アングル１８が係止・装着される。
【００１３】
また、充電器７の本体部８の裏面には取付ベルト１４が固定されており、該取付ベルト１４により携帯機器ホルダ１および充電器７が自転車のハンドルポストＨＰに取り付けられる。取付ベルト１４については、装着アングル１８と装着帯１６、１７との装着方向を逆にして、携帯機器ホルダ１の裏面に固定して設置してもよい。図１および図３に示すように、充電器７の本体部８では、後述する発電機から供給された電力を整流・変圧等して直流電流を得て、コード１０を経て充電コネクタ１１を介して携帯機器に充電を行うものである。本発明の充電器７の本体部８には、下向きに形成された充電コネクタ１１のための収容部９が形成されている。これによって、充電を必要としない充電時以外には充電コネクタ１１を収容部９に挿入・係止しておくことができる。収容部９の内径は充電コネクタ１１が摩擦係合や弾性係合により抜けない程度の寸法とされる。
【００１４】
また、図３に示すように、充電コネクタ収容部９に、通常の携帯電話の充電部に設置される端子群からなるダミー係止部（図示しての詳述はしない）を設けてもよい。この場合は、充電コネクタの係脱ボタン１２（１３）を押動して係止爪（図示省略）により確実にダミー係止部に充電コネクタ１１を係止しておくことが可能となり、充電コネクタ１１が収容部９から妄りに落下することが防止される。図２に示すように、前輪のハブ内に設置された発電機であるハブダイナモＨＤからの発電電力は、発電ケーブル１５Ａを通じて、一部は、ランプケーブル１５Ｂを通じてランプ１９に供給され、残りの一部は、携帯ケーブル１５Ｃを通じて携帯電話の充電器７に供給される。１５Ｄはアース線である。
【００１５】
図４および図５はホルダに携帯電話が保持された状態を示す全体斜視図である。携帯電話Ｔを上部機器保持部２と下部機器保持部３の上方から挿入して、充電コネクタ挿通孔６に充電コネクタ１１が下方から接続・係止される。あるいは、上部機器保持部２における縦スリット部４および下部機器保持部３における縦スリット部５に指を差し込んでこれらの保持部２、３をめくり上げ、携帯電話Ｔを割り込ませて保持させる。図５のように、充電コネクタ１１を携帯電話Ｔの底部に接続・係止したままでホルダ１に保持させる場合には、携帯電話Ｔを幾分横向きにして押し広げた縦スリット部４、５から挿入し、次いで正面を向かせた携帯電話Ｔを保持させる。これにより、充電コネクタ１１がホルダ１の底面の挿通孔６に過不足なくセットされる。
【００１６】
図６の断面図に示すように、下部充電器保持部３の底面に形成される充電コネクタ挿通孔６の寸法は、充電コネクタ１１の係脱ボタン１２、１３により抜止めされる程度とされる。つまり、充電コネクタ１１の外径と充電コネクタ挿通孔６の内径寸法とを略等しくして、充電コネクタ１１の係脱ボタン１２、１３が充電コネクタ挿通孔６の内径をクリアできないようにして、携帯機器ホルダ３の底面が、携帯電話Ｔの底面と充電コネクタ１１の係脱ボタン１２、１３により挟持されて抜け止めされ、走行時の充電中に妄りに携帯電話が落下することが防止される。
【００１７】
図７はホルダに折畳み式の携帯電話および充電コネクタが接続・係止された状態を示す全体斜視図で、近年多用されている折畳み式の携帯電話Ｔが折り畳まれた状態にて、充電コネクタ１１が接続・係止される部位に充電コネクタ挿通孔６が配設される。本例のものも、携帯電話Ｔを上部機器保持部２と下部機器保持部３の上方から挿入して、充電コネクタ挿通孔６に充電コネクタ１１を下方から接続・係止するか、あるいは、上部機器保持部２における縦スリット部４および下部機器保持部３における縦スリット部５に指を差し込んでこれらの保持部２、３をめくり上げ、携帯電話Ｔを割り込ませて保持させる点で、前記のものと同様である。
【実施例２】
【００１８】
図８は本発明の自転車用充電器付携帯機器ホルダの第２実施例である。充電器装着部と機器保持部とを備えた点では、前述の実施例のものと同様であるが、本実施例では、上部機器保持部２および下部機器保持部３に縦スリット部はなく、また保持部２、３を含むホルダが弾性体である必要はない。下部機器保持部３の底部には充電コネクタ挿通孔６が設置されている。したがって、本実施例では、ホルダ１に携帯電話Ｔを挿入して保持させるには、上部機器保持部２の上方から携帯電話Ｔを挿入するものである。その後、充電コネクタ１１を充電コネクタ挿通孔６を通じて下方から差し込み、携帯電話Ｔの下面に接続・係止するものである。充電コネクタ挿通孔６の寸法は、充電コネクタ１１の係脱ボタン１２、１３により抜止めされる程度とされるのは前記実施例と同様である。
【００１９】
以上、本発明の各実施例について説明してきたが、本発明の趣旨の範囲内で、ホルダにおける充電器装着部の形状、形式（場合によっては、充電器とホルダが一体式でもよい）、機器保持部を含むホルダの形状（機器保持部は上下にあってもよく、下部のみでも可）、形式およびその材質（ゴムや合成樹脂等）、機器保持部の縦スリット部の形状（縦スリットの幅、波形形状等）、形式、充電コネクタ挿通孔の形状（好適には充電コネクタの断面形状に略一致）、形式、充電器における充電コネクタの収容部の形状、形式（蓋部材の設置等）、充電コネクタの収容部にダミー係止部の形状、形式等については適宜選定することができる。
【図面の簡単な説明】
【００２０】
【図１】本発明の自転車用充電器付携帯機器ホルダの第１実施例を示すもので、ハンドルポストに取り付けられた充電器付携帯機器ホルダの全体斜視図である。
【図２】同、発電機であるハブダイナモから電力を得ている状態を示した充電器付携帯機器ホルダが取り付けられた自転車前部の全体側面図である。
【図３】同、充電器付携帯機器ホルダの取付状態が明瞭に示された充電器付携帯機器ホルダの裏面から見た全体斜視図である。
【図４】同、ホルダに携帯電話が保持された状態を示す全体斜視図である。
【図５】同、携帯電話に充電コネクタが接続・係止された状態を示す全体斜視図である。
【図６】同、ホルダに携帯電話および充電コネクタが保持された状態の全体断面図である。
【図７】同、ホルダに折畳み式の携帯電話および充電コネクタが接続・係止された状態を示す全体斜視図である。
【図８】本発明の自転車用充電器付携帯機器ホルダの第２実施例を示すもので、ホルダに携帯電話が保持された状態を示す全体斜視図である。
【符号の説明】
【００２１】
１      携帯機器ホルダ
２      上部機器保持部
３      下部機器保持部
４      縦スリット部
５      縦スリット部
６      充電コネクタ挿通孔
７      携帯機器充電器
８      本体部
９      充電コネクタ収容部
１０      コード
１１      充電コネクタ
１２      係脱ボタン
１３      係脱ボタン
１４      取付ベルト
１５      充電ケーブル
１６      装着帯
１７      装着帯
１８      装着アングル
１９      ランプ
Ｔ      携帯機器（携帯電話）
ＨＰ      ハンドルポスト
ＨＤ      ハブダイナモ
【図１】
2005035438.tif 000003
【図２】
2005035438.tif 000004
【図３】
2005035438.tif 000005
【図４】
2005035438.tif 000006
【図５】
2005035438.tif 000007
【図６】
2005035438.tif 000008
【図７】
2005035438.tif 000009
【図８】
2005035438.tif 000010